(57)【要約】      （修正有）【課題】設置スペースの増大を招くことなく、複数月の暦を同時に視認することができる卓上カレンダーを提供する。【解決手段】卓上カレンダー１０は、重ね合わせた複数の暦カード１１を着脱可能に収納するカードケース１２と、カードケース１２を設置面Ｔ上に起立状態に保つ支持手段である左右一対の支持片と、を備え、カードケース１２内に収納された複数の暦カード１１のうち、最前面に位置する暦カード１１ｘの暦面１１ａがカードケース１２の正面から視認できる状態に保たれている。また、カードケース１２内の最前面に位置する暦カード１１ｘの次月の暦１１ｓを示す暦カード１１ｙが、カードケース１２の背面上部に設けられた突片部によって着脱可能に保持されている。【選択図】図１
0003147405.tif 000002
【実用新案登録請求の範囲】
【請求項１】
少なくとも１ヶ月分の暦が記載された暦面を有する複数の暦カードと、重ね合わせた複数の前記暦カードを着脱可能かつ最前面に位置する前記暦カードの暦面を目視可能に収納するカードケースと、前記カードケースを設置面上にて起立状態に保つ支持手段と、を備え、前記暦カードをその暦面が視認できる姿勢で着脱可能に保持するための係止手段を前記カードケースの一部に設けたことを特徴とする卓上カレンダー。
【請求項２】
前記係止手段として、前記暦カードの周縁部の少なくとも一部を挟持可能な突片部若しくはポケット部を設けた請求項１記載の卓上カレンダー。
【請求項３】
前記突片部若しくは前記ポケット部を前記カードケースの背面上部に設けた請求項２記載の卓上カレンダー。
【請求項４】
少なくとも１ヶ月分の暦が記載された暦面を有する複数の暦カードと、重ね合わせた複数の前記暦カードを着脱可能かつ最前面に位置する前記暦カードの暦面を目視可能に収納するカードケースと、前記カードケースを設置面上にて起立状態に保つ支持手段と、を備え、前記暦カードに、他の前記暦カードをその暦面が視認できる姿勢で着脱可能に保持するための係止手段を設けたことを特徴とする卓上カレンダー。
【請求項５】
前記係止手段として、前記暦カードの周縁部の少なくとも一部を挟持可能な突片部を設けた請求項４記載の卓上カレンダー。
【請求項６】
前記突片部を前記暦カードの暦面より上方に設けた請求項５記載の卓上カレンダー。
【考案の詳細な説明】
【技術分野】
【０００１】
本考案は、事務机、勉強机あるいは応接テーブルなどの上に置いて使用される卓上カレンダーに関する。
【背景技術】
【０００２】
机やテーブルの上に置いて使用される卓上カレンダーについては、従来、様々な構造、機能、デザインのものが提案されているが、本考案に関連するものとして、例えば、特許文献１記載の「カレンダー」がある。
【０００３】
しかしながら、特許文献１記載の「カレンダー」は１ヶ月分の暦しか表示されないので、月末が近づいたときのスケジュール確認や翌月以降の日程調整などを行いたい場合、現在表示されている暦カードをケースから取り出して、翌月の暦カードを見ないといけないので、不便である。そこで、連続する複数月の暦を表示することのできるカレンダーが提案されている（例えば、特許文献２，３参照。）。
【０００４】
【特許文献１】特開２００６−１４２６３３号公報
【特許文献２】特開２００５−２９７３９７号公報
【特許文献３】特開２００５−２７１３５９号公報
【考案の開示】
【考案が解決しようとする課題】
【０００５】
特許文献２，３記載の「卓上カレンダー」は複数月の暦が表示されているため、当月の暦カードを取り出すことなく翌月の暦を確認することができる点では優れている。しかしながら、特許文献２記載の「卓上カレンダー」は常に２ヶ月分の暦カードが見開き状に表示されているため、設置スペースの増大を招き、狭い机の上では邪魔になることがある。
【０００６】
これに対し、特許文献３記載の「卓上カレンダー」は、従来と同程度のサイズで複数月の暦を表示することができるため、狭い場所でも邪魔にならないが、各月の暦部分が比較的小さいため、予定を書き込むためのスペースが狭く、離れた場所から見難い。
【０００７】
本考案が解決しようとする課題は、設置スペースの増大を招くことなく、複数月の暦を同時に視認することができる卓上カレンダーを提供することにある。
【課題を解決するための手段】
【０００８】
本考案の卓上カレンダーは、少なくとも１ヶ月分の暦が記載された暦面を有する複数の暦カードと、重ね合わせた複数の前記暦カードを着脱可能かつ最前面に位置する前記暦カードの暦面を目視可能に収納するカードケースと、前記カードケースを設置面上に起立状態に保つ支持手段と、を備え、前記暦カードをその暦面が視認できる姿勢で着脱可能に保持するための係止手段を前記カードケースの一部に設けたことを特徴とする。
【０００９】
このような構成とすれば、設置面上に保持手段で起立状態に保たれたカードケース内に目視可能に収納された暦カードの暦面により当月の暦を表示することができることに加え、カードケースから取り出した他月の暦カードを、カードケースに設けられた係止手段で保持することによって他月の暦カードを追加掲示することができるため、複数月の暦を同時に視認することができる。また、設置面上に起立した状態で当月の暦カードを表示しているカードケースのサイズに変化を与えることなく、他月の暦カードを追加掲示することができるため、設置スペースの増大を招くこともない。
【００１０】
ここで、前記係止手段として、前記暦カードの周縁部の少なくとも一部を挟持可能な突片部若しくはポケット部を設けることが望ましい。このような構成とすれば、暦カードの周縁部の少なくとも一部を挟持させるという簡単な操作により、他月の暦カードを追加表示することができる。また、挿入と逆の操作をすれば追加表示されている他月の暦カードをカードケースから離脱させることができるため、暦カードの取り替えも容易である。
【００１１】
この場合、前記突片部若しくは前記ポケット部を前記カードケースの背面上部に設けることが望ましい。このような構成とすれば、カードケース内において当月の暦を表示している暦カードを隠すことなく、他月の暦カードを掲示することができるため、視認性も良好である。
【００１２】
次に、本考案の卓上カレンダーは、少なくとも１ヶ月分の暦が記載された暦面を有する複数の暦カードと、重ね合わせた複数の前記暦カードを着脱可能かつ最前面に位置する前記暦カードの暦面を目視可能に収納するカードケースと、前記カードケースを設置面上にて起立状態に保つ支持手段と、を備え、前記暦カードに、他の前記暦カードをその暦面が視認できる姿勢で着脱可能に保持するための係止手段を設けたことを特徴とする。
【００１３】
このような構成とすれば、設置面上に保持手段で起立状態に保たれたカードケース内に目視可能に収納された暦カードの暦面により当月の暦を表示することができることに加え、カードケースから取り出した他月の暦カードを、カードケース内の最前面に収納された当月の暦カードの係止手段に保持することにより、他月の暦カードを追加掲示することができるため、複数月の暦を同時に視認することができる。また、設置面上に起立した状態で当月の暦カードを表示しているカードケースのサイズに変化を与えることなく、他月の暦カードを追加掲示することができるため、設置スペースの増大を招くこともない。
【００１４】
ここで、前記係止手段として、前記暦カードの周縁部の少なくとも一部を挟持可能な突片部を設ければ、他の暦カードの周縁部の少なくとも一部を挟持させるという簡単な操作により、他月の暦カードを追加表示することができる。また、挿入と逆の操作をすれば追加表示されている他月の暦カードを暦カードから離脱させることができるため、暦カードの取り替えも容易である。
【００１５】
この場合、前記突片部を前記暦カードの暦面より上方に設ければ、カードケース内において当月の暦を表示している暦カードの暦面を隠すことなく、他月の暦カードを掲示することができるため、視認性も良好である。
【考案の効果】
【００１６】
本考案により、設置スペースの増大を招くことなく、複数月の暦を同時に視認することができる卓上カレンダーを提供することができる。
【考案を実施するための最良の形態】
【００１７】
以下、図面に基づいて本考案の実施の形態について説明する。図１は本考案の第１実施形態である卓上カレンダーを示す斜視図、図２は図１に示す卓上カレンダーの側面図、図３は図２における矢線Ｒ方向から見た一部省略背面図、図４は図１に示す卓上カレンダーにおける暦カードの着脱状態を示す一部省略背面図である。
【００１８】
図１〜図３に示すように、本実施形態の卓上カレンダー１０は、重ね合わせた複数の暦カード１１を着脱可能に収納するカードケース１２と、カードケース１２を設置面Ｔ上に起立状態に保つ支持手段である左右一対の支持片１３と、を備え、カードケース１２内に収納された複数の暦カード１１のうち、最前面に位置する暦カード１１ｘの暦面１１ａがカードケース１２の正面から視認できる状態に保たれている。また、カードケース１２内の最前面に位置する暦カード１１ｘの次月の暦１１ｓを示す暦カード１１ｙが、カードケース１２の背面上部に設けられた突片部１４によって着脱可能に保持されている。暦カード１１ｙは、カードケース１２内の暦カード１１ｘを見るときとほぼ同じ方向から暦面１１ａを視認できる姿勢に保たれている。
【００１９】
暦カード１１ｘ，１１ｙの暦面１１ａには、それぞれの月の暦１１ｋ，１１ｓと、その前後の月の小暦１１ａｍ，１１ｂｍと、が記載され、暦１１ｋ，１１ｓを構成する各日付欄にはスケジュールなどを記入できる余白が設けられている。暦カード１１ｘの背面に隠れているその他の暦カード１１も同様の形式となっている。カードケース１２は、正面視形状が長方形をなし、上辺部分を除く他の三辺部分に、複数の暦カード１１ｘ，１１の周縁部を収容するための溝部１１ｔが形成されている。カードケース１２は弾力性を有する薄い合成樹脂板を折り曲げることによって形成されているが、これに限定するものではない。
【００２０】
このように、卓上カレンダー１０は、設置面Ｔ上に支持片１３で起立状態に保たれたカードケース１２内に目視可能に収納された暦カード１１ｘの暦面１１ａにより当月の暦１１ｓを表示するとともに、カードケース１２から取り出した次月の暦カード１１ｙを、カードケース１２の背面上部に設けられた突片部１４で保持することによって次月の暦カード１１ｙを追加掲示することができるため、今月の暦１１ｋ及び次月の暦１１ｓを同時に視認することができる。
【００２１】
また、設置面Ｔ上に起立した状態で当月の暦カード１１ｘを表示しているカードケース１２のサイズに変化を与えることなく、次月の暦カード１１ｙを追加掲示することができるため、設置スペースの増大を招くこともない。なお、図１，図２においては、カードケース１２内に今月の暦カード１１ｘを表示し、カードケース１２背面の突片部１４で次月の暦カード１１ｙを保持した状態を示しているが、これに限定するものではないので、使用者が必要とする月の暦カード１１をカードケース１２や突片部１４に掲示することができる。
【００２２】
図４に示すように、突片部１４は、カードケース１２の背面上部に山形のスリット１４ｓを設けることによって形成されているため、暦カード１１ｙの周縁部の一部（本実施形態では暦カード１１ｙの下縁部の中央領域）をカードケース１２背面と突片部１４との間に挟持させるという簡単な操作により、次月の暦カード１１ｙを追加表示することができる。また、前記挿入操作と逆の操作をすれば追加表示されている次月の暦カード１１ｙをカードケース１２の突片部１４から離脱させることができるため、他の暦カード１１への取り替えも容易である。
【００２３】
また、図２に示すように、突片部１４はカードケース１２の背面上部に設けられているため、図１に示すように、カードケース１２内において今月の暦１１ｓを表示している暦カード１ｘを隠すことなく、次月の暦カード１１ｙを掲示することができ、視認性も良好である。
【００２４】
次に、図５，図６に基づいて、本考案のその他の実施の形態について説明する。図５，図６はその他の実施の形態である卓上カレンダーを示す一部省略背面図である。
【００２５】
図５に示す卓上カレンダー２０においては、カードケース２２の背面上部に、舌片形状をした複数の突片部２４が形成されている。各突片部２４は、カードケース２２の背面に半楕円形のスリット２４ｓを設けることによって形成されている。図４と同様の手順により、暦カード１１ｙの下縁部を複数の突片部２４に保持させたり、離脱させたりすることによって暦カード１１ｙの掲示、離脱を行うことができる。なお、突片部２４の個数や形状などは限定しないので、暦カード１１ｙのサイズ、形状、材質などに応じて決定することができる。
【００２６】
図６に示す卓上カレンダー３０においては、カードケース３２の背面上部に、ポケット部３４が形成されている。ポケット部３４は、カードケース３２背面に、これと同じ材質の長方形の合成樹脂板３４ａを配置し、その上辺以外の辺縁部３４ｂを溶着することによって形成されている。図４と同様の手順で、暦カード１１ｙの下縁部をポケット部３４に差し込んだり、出したりすることにより、暦カード１１ｙの掲示、離脱を行うことができる。なお、ポケット部３４の形状は限定しないので、暦カード１１ｙのサイズ、形状、材質などに応じて決定することができる。
【００２７】
以上のように、卓上カレンダー１０，２０，３０においては、カードケース１２の背面上部に設けられた係止手段（突片部１４，２４，ポケット部３４）に、暦カード１１ｙをその暦面１１ａが視認できる姿勢で着脱可能に保持することができるため、設置スペースの増大を招くことなく、当月の暦１１ｋ及び次月の暦１１ｓを同時に視認することができる。
【００２８】
なお、カードケース１２に設けられた係止手段（突片部１４，２４，ポケット部３４）は例示であり、本考案の卓上カレンダーはこれらに限定するものではないので、その他の係止手段（例えば、暦カードを着脱可能に保持できる溝部、クリップ部、粘着部など）を設けることもできる。
【００２９】
次に、図７，図８に基づいて、本考案の第２実施形態について説明する。図７は本考案の第２実施形態である卓上カレンダーを示す斜視図、図８は図７に示す卓上カレンダーにおける暦カードの着脱状態を示す一部省略背面図である。なお、図７，図８において図１〜図４中の符号と同じ符号を付している部分は前述した卓上カレンダー１０の構成部分と同じ構造、機能を有する部分であり、説明を省略する。
【００３０】
図７に示すように、本実施形態の卓上カレンダー４０は、重ね合わせた複数の暦カード４１を着脱可能に収納するカードケース４２と、カードケース４２を設置面上に起立状態に保つためカードケース４２の背面に設けられた左右一対の支持片（図示せず）と、を備え、カードケース４２内に収納された複数の暦カード４１のうち、最前面に位置する暦カード４１ｖの暦面１１ａがカードケース４２の正面から視認できる状態に保たれている。また、カードケース４２内の最前面に位置する暦カード４１ｖの次月の暦１１ｓを示す暦カード１１ｗが、暦カード４１ｖの暦面１１ａより上方に形成された突片部１５によって着脱可能に保持されている。暦カード１１ｗは、カードケース１２内の暦カード１１ｖを見るときとほぼ同じ方向から暦面１１ａを視認できる姿勢に保たれている。
【００３１】
暦カード４１ｖ，４１ｗの暦面１１ａには、それぞれの月の暦１１ｋ，１１ｓと、その前後の月の小暦１１ａｍ，１１ｂｍと、が記載され、暦１１ｋ，１１ｓを構成する各日付欄にはスケジュールなどを記入できる余白が設けられている。また、暦カード４１ｖ，４１ｗの暦面１１ａより上方に山形のスリット１５ｓを設けることによって突片部１５が形成されている。暦カード１１ｖの背面に隠れているその他の暦カード４１も同様の形式となっている。
【００３２】
卓上カレンダー４０においては、起立状態に保たれたカードケース４２内に目視可能に収納された暦カード４１ｖの暦面１１ａにより当月の暦１１ｋを表示するとともに、カードケース４２から取り出した次月の暦カード４１ｗを、当月の暦カレンダー４１ｖの突片部１５に保持することによって暦カード４１ｗを追加掲示することができるため、複数月の暦を同時に視認することができる。この場合、突片部１５に保持された暦カード４１ｗの左右側縁の下端付近は溝部１２ｔ内に収容されるので、暦カード４１ｗは安定して保持される。また、設置面上に起立した状態で当月の暦カード４１ｖを表示しているカードケース４２のサイズに変化を与えることなく、他月の暦カード４１ｗを追加掲示することができるため、設置スペースが増大することもない。
【００３３】
また、次月の暦カード４１ｗの係止手段として突片部１５を設けているため、図８に示すように、他の暦カード４１ｗの下縁部を挟持させるという簡単な操作により、他月の暦カード４１ｗを追加表示することができる。また、挿入操作と逆の操作をすれば追加表示されている他月の暦カード４１ｗを暦カード４１ｖから離脱させることができるため、暦カードの取り替えも容易である。
【００３４】
さらに、暦カード４１ｖの暦面１１ｋより上方に突片部１５が形成されているため、他月の暦カード１１ｗを突片部１５に係止したとき、カードケース４２内の最前面に位置する暦カード１１ｖの暦面１１ｋを隠すことがなく、視認性も良好である。その他の部分の構造、機能は暦カレンダー１０と同様である。
【産業上の利用可能性】
【００３５】
本考案の卓上カレンダーは、オフィス内の事務机、作業テーブルあるいは一般住宅内のテーブル、勉強机などにおいて広く利用することができる。
【図面の簡単な説明】
【００３６】
【図１】本考案の第１実施形態である卓上カレンダーを示す斜視図である。
【図２】図１に示す卓上カレンダーの側面図である。
【図３】図２における矢線Ｒ方向から見た一部省略背面図である。
【図４】図１に示す卓上カレンダーにおける暦カードの着脱状態を示す一部省略背面図である。
【図５】その他の実施の形態である卓上カレンダーを示す一部省略背面図である。
【図６】その他の実施の形態である卓上カレンダーを示す一部省略背面図である。
【図７】本考案の第２実施形態である卓上カレンダーを示す斜視図である。
【図８】図７に示す卓上カレンダーにおける暦カードの着脱状態を示す一部省略背面図である。
【符号の説明】
【００３７】
１０，２０，３０，４０  卓上カレンダー
１１，１１ｘ，１１ｙ，４１，４１ｖ，４１ｗ  暦カード
１１ａ  暦面
１１ｋ，１１ｓ  暦
１１ａｍ，１１ｂｍ  小暦
１２，２２，３２，４２  カードケース
１２ｔ  溝部
１３  支持片
１４，１５，２４  突片部
１４ｓ，１５ｓ，２４ｓ  スリット
３４  ポケット部
３４ａ  合成樹脂板
３４ｂ  辺縁部
Ｒ  矢線
Ｔ  設置面
【図１】
0003147405.tif 000003
【図２】
0003147405.tif 000004
【図３】
0003147405.tif 000005
【図４】
0003147405.tif 000006
【図５】
0003147405.tif 000007
【図６】
0003147405.tif 000008
【図７】
0003147405.tif 000009
【図８】
0003147405.tif 000010